(57)【要約】      （修正有）【課題】タイトルに関連する投稿情報をウェブページに表示させること。【解決手段】情報提供システム１０は、投稿者端末と記録装置と公開者端末で構成される。投稿者端末は、画像または動画の選択受付手段、これらへのコメントと投稿内容に関するタグ情報とを含むコメント情報の入力を受け付けるコメント情報入力受付手段、投稿画像または投稿動画とコメント情報とを関連付けた投稿情報を記録装置へ送信する投稿情報送信手段を備える。公開者端末は、公開用情報のタイトル指定受付手段、タイトル情報を記録装置へ送信するタイトル情報送信手段を備える。記録装置は、投稿情報記録手段、タイトル情報記録手段、投稿情報にタグ情報がタイトル情報と一致するものがある場合、これらを関連付ける関連付け手段、関連付けた投稿情報を、ウェブページに表示するソースコードを生成するソースコード生成手段、これを公開者端末へ出力するソースコード出力手段を備える。【選択図】図１
2018160100.tif 000002
【特許請求の範囲】
【請求項１】
情報を投稿する投稿者から投稿する画像または動画の選択を受け付ける選択受付手段と、
前記投稿者から、前記選択受付手段によって選択を受け付けた投稿画像または投稿動画に対するコメントと投稿内容に関するタグ情報とを含んだコメント情報の入力を受け付けるコメント情報入力受付手段と、
前記選択受付手段によって投稿を受け付けた投稿画像または投稿動画と、前記コメント情報入力受付手段によって入力を受け付けた前記コメント情報とを関連付けた投稿情報を記憶媒体に記録する投稿情報記録手段と、
前記投稿者によって投稿された画像または動画を配置した公開用情報を公開する公開者から、前記公開用情報のタイトルの指定を受け付けるタイトル指定受付手段と、
前記タイトル指定受付手段で指定を受け付けた前記タイトル情報を前記記憶媒体に記録するタイトル情報記録手段と、
前記記憶媒体に記録されている前記投稿情報の中に、前記タグ情報が前記記憶媒体に記録されている前記タイトル情報と一致するものがある場合に、前記投稿情報と前記タイトル情報とを関連付ける関連付け手段と、
前記関連付け手段によって前記タイトル情報に関連付けられた前記投稿情報を、前記記憶媒体から取得してウェブページに表示するためのソースコードを生成するソースコード生成手段と、
前記ソースコード生成手段によって生成された前記ソースコードを出力するソースコード出力手段とを備えることを特徴とする情報提供システム。
【請求項２】
請求項１に記載の情報提供システムにおいて、
前記投稿情報記録手段は、前記投稿情報に、前記投稿者を特定するための投稿者情報も含めることを特徴とする情報提供システム。
【請求項３】
請求項１または２に記載の情報提供システムにおいて、
前記公開者からウェブページ上での前記投稿情報の配置方法の指定を受け付ける配置方法指定受付手段をさらに備え、
前記ソースコード生成手段は、前記配置方法指定受付手段によって指定を受け付けた配置方法にしたがって前記投稿情報を配置するためのソースコードを生成することを特徴とする情報提供システム。
【請求項４】
情報の投稿者が操作する投稿者端末と、前記投稿者端末によって投稿された投稿情報を記録する記録装置と、前記記録装置に記録された投稿情報を公開する公開者によって操作される公開者端末とが通信回線を介して接続された情報提供システムであって、
前記投稿者端末は、
前記投稿者から投稿する画像または動画の選択を受け付ける選択受付手段と、
前記投稿者から、前記選択受付手段によって選択を受け付けた投稿画像または投稿動画に対するコメントと投稿内容に関するタグ情報とを含んだコメント情報の入力を受け付けるコメント情報入力受付手段と、
前記選択受付手段によって投稿を受け付けた投稿画像または投稿動画と、前記コメント情報入力受付手段によって入力を受け付けた前記コメント情報とを関連付けた投稿情報を前記記録装置へ送信する投稿情報送信手段とを備え、
前記公開者端末は、
前記公開者から、前記公開用情報のタイトルの指定を受け付けるタイトル指定受付手段と、
前記タイトル指定受付手段で指定を受け付けた前記タイトル情報を前記記録装置へ送信するタイトル情報送信手段とを備え、
前記記録装置は、
前記投稿者端末から受信した前記投稿情報を記憶媒体に記録する投稿情報記録手段と、
前記公開者端末から受信した前記タイトル情報を前記記憶媒体に記録するタイトル情報記録手段と、
前記記憶媒体に記録されている前記投稿情報の中に、前記タグ情報が前記記憶媒体に記録されている前記タイトル情報と一致するものがある場合に、前記投稿情報と前記タイトル情報とを関連付ける関連付け手段と、
前記関連付け手段によって前記タイトル情報に関連付けられた前記投稿情報を、前記記憶媒体から取得してウェブページに表示するためのソースコードを生成するソースコード生成手段と、
前記ソースコード生成手段によって生成された前記ソースコードを前記公開者端末へ出力するソースコード出力手段とを備えることを特徴とする情報提供システム。
【請求項５】
請求項４に記載の情報提供システムにおいて、
前記投稿情報記録手段は、前記投稿情報に、前記投稿者を特定するための投稿者情報も含めることを特徴とする情報提供システム。
【請求項６】
請求項４または５に記載の情報提供システムにおいて、
前記公開者端末は、
前記記録装置から出力された前記ソースコードを受信するソースコード受信手段と、
前記ソースコード受信手段によって受信された前記ソースコードを表示装置へ表示するソースコード表示手段とをさらに備えることを特徴とする情報提供システム。
【請求項７】
請求項４〜６のいずれか一項に記載の情報提供システムにおいて、
前記記録装置は、
前記公開者端末からウェブページ上での前記投稿情報の配置方法の指定を受け付ける配置方法指定受付手段をさらに備え、
前記ソースコード生成手段は、前記配置方法指定受付手段によって指定を受け付けた配置方法にしたがって前記投稿情報を配置するためのソースコードを生成することを特徴とする情報提供システム。
【請求項８】
請求項４〜７のいずれか一項に記載の情報提供システムにおいて、
前記ソースコードが埋め込まれたウェブページを閲覧する閲覧者によって操作される閲覧者端末をさらに備え、
前記閲覧者端末は、
前記閲覧者からの指示に基づいて、前記ソースコードが埋め込まれたウェブページを読み込む読み込み手段と、
前記ソースコードに基づいて、前記記録装置から前記投稿情報を取得して、取得した投稿情報をウェブページ内の所定位置に配置して表示するウェブページ表示手段とを備えることを特徴とする情報提供システム。
【請求項９】
請求項８に記載の情報提供システムにおいて、
前記ウェブページ表示手段は、前記投稿情報に含まれる前記投稿画像または投稿動画に重畳して前記コメント情報を表示することを特徴とする情報提供システム。
【請求項１０】
請求項９に記載の情報提供システムにおいて、
前記ウェブページ表示手段は、前記ウェブページ上で前記投稿画像または投稿動画が選択されたときに、前記投稿画像または投稿動画と前記コメント情報の重畳表示を解除して、それぞれを別領域に表示することを特徴とする情報提供システム。
【請求項１１】
請求項９に記載の情報提供システムにおいて、
前記ウェブページ表示手段は、前記ウェブページ上で前記投稿画像または投稿動画が選択されたときに、前記投稿画像または投稿動画に関連付けられている関連画像を表示することを特徴とする情報提供システム。
【請求項１２】
請求項１１に記載の情報提供システムにおいて、
前記ウェブページ表示手段は、前記ウェブページ上で前記関連画像が選択されたときに、前記関連画像に関連付けられているＵＲＬに基づいて、前記関連画像に関連するウェブページを表示することを特徴とする情報提供システム。
【発明の詳細な説明】
【技術分野】
【０００１】
本発明は、情報提供システムに関する。
【背景技術】
【０００２】
次のような情報処理システムが知られている。この情報処理システムでは、ユーザの店舗への来店履歴をＳＮＳ（ソーシャル・ネットワーキング・サービス）を通じて自動投稿することにより、店舗は、積極的な宣伝広告を行わなくても、宣伝広告効果を得ることができる（例えば、特許文献１）。
【先行技術文献】
【特許文献】
【０００３】
【特許文献１】特開２０１３−８１４４号公報
【発明の概要】
【発明が解決しようとする課題】
【０００４】
従来の情報処理システムのように、ＳＮＳを活用した宣伝広告は広く行われている。例えば、商品を販売する人や会社、またはサービスを提供する人や会社は、販売する商品や提供するサービスに関する画像をＳＮＳに投稿することにより、消費者に対して、商品やサービスの宣伝を行うことがある。この場合、消費者は、投稿画像とともに、画像に写っている商品やサービスに関するレビューをコメントとして投稿することが考えられ、投稿画像を宣伝広告に利用したいと考える店舗では、自社の商品やサービスが撮影された投稿画像とそれに対するレビューを一覧表示してウェブページ上に表示させることができれば、宣伝効果を向上させることができる。しかしながら、従来の情報処理システムでは、そのような仕組みについては、何ら検討されていなかった。
【課題を解決するための手段】
【０００５】
本発明による情報提供システムは、情報を投稿する投稿者から投稿する画像または動画の選択を受け付ける選択受付手段と、投稿者から、選択受付手段によって選択を受け付けた投稿画像または投稿動画に対するコメントと投稿内容に関するタグ情報とを含んだコメント情報の入力を受け付けるコメント情報入力受付手段と、選択受付手段によって投稿を受け付けた投稿画像または投稿動画と、コメント情報入力受付手段によって入力を受け付けたコメント情報とを関連付けた投稿情報を記憶媒体に記録する投稿情報記録手段と、投稿者によって投稿された画像または動画を配置した公開用情報を公開する公開者から、公開用情報のタイトルの指定を受け付けるタイトル指定受付手段と、タイトル指定受付手段で指定を受け付けたタイトル情報を記憶媒体に記録するタイトル情報記録手段と、記憶媒体に記録されている投稿情報の中に、タグ情報が記憶媒体に記録されているタイトル情報と一致するものがある場合に、投稿情報とタイトル情報とを関連付ける関連付け手段と、関連付け手段によってタイトル情報に関連付けられた投稿情報を、記憶媒体から取得してウェブページに表示するためのソースコードを生成するソースコード生成手段と、ソースコード生成手段によって生成されたソースコードを出力するソースコード出力手段とを備えることを特徴とする。
本発明による情報提供システムはまた、情報の投稿者が操作する投稿者端末と、投稿者端末によって投稿された投稿情報を記録する記録装置と、記録装置に記録された投稿情報を公開する公開者によって操作される公開者端末とが通信回線を介して接続され、投稿者端末は、投稿者から投稿する画像または動画の選択を受け付ける選択受付手段と、投稿者から、選択受付手段によって選択を受け付けた投稿画像または投稿動画に対するコメントと投稿内容に関するタグ情報とを含んだコメント情報の入力を受け付けるコメント情報入力受付手段と、選択受付手段によって投稿を受け付けた投稿画像または投稿動画と、コメント情報入力受付手段によって入力を受け付けたコメント情報とを関連付けた投稿情報を記録装置へ送信する投稿情報送信手段とを備え、公開者端末は、公開者から、公開用情報のタイトルの指定を受け付けるタイトル指定受付手段と、タイトル指定受付手段で指定を受け付けたタイトル情報を記録装置へ送信するタイトル情報送信手段とを備え、記録装置は、投稿者端末から受信した投稿情報を記憶媒体に記録する投稿情報記録手段と、公開者端末から受信したタイトル情報を記憶媒体に記録するタイトル情報記録手段と、記憶媒体に記録されている投稿情報の中に、タグ情報が記憶媒体に記録されている前記タイトル情報と一致するものがある場合に、投稿情報とタイトル情報とを関連付ける関連付け手段と、関連付け手段によってタイトル情報に関連付けられた投稿情報を、記憶媒体から取得してウェブページに表示するためのソースコードを生成するソースコード生成手段と、ソースコード生成手段によって生成されたソースコードを公開者端末へ出力するソースコード出力手段とを備えることを特徴とする。
【発明の効果】
【０００６】
本発明によれば、公開者が指定したタイトルをタグ情報に含む投稿情報をウェブページに表示させるためのソースコードを出力することができるため、ウェブページのソースコードに、投稿情報を表示するためのソースコードを埋め込むだけで、様々なウェブページ上に、公開者が指定したタイトルをタグ情報に含む投稿情報を表示させることができる。
【図面の簡単な説明】
【０００７】
【図１】情報提供システム１０の一実施の形態の構成を示すブロック図である。
【図２】記録装置１００の一実施の形態の構成を示すブロック図である。
【図３】投稿者端末２００の一実施の形態の構成を示すブロック図である。
【図４】公開者端末３００の一実施の形態の構成を示すブロック図である。
【図５】記録装置１００で実行される処理の流れを示すフローチャート図である。
【図６】投稿者端末２００で実行される処理の流れを示すフローチャート図である。
【図７】公開者端末３００で実行される処理の流れを示すフローチャート図である。
【発明を実施するための形態】
【０００８】
図１は、本実施の形態における情報提供システム１０の一実施の形態の構成を示すブロック図である。情報提供システム１０は、記録装置１００と、投稿者端末２００と、公開者端末３００で構成される。本実施の形態では、記録装置１００と投稿者端末２００、および記録装置１００と公開者端末３００は、例えばインターネットや携帯電話網等の通信回線を介してそれぞれ接続される。なお、図１では、情報提供システム１０は、記録装置１００、投稿者端末２００、公開者端末３００とがそれぞれ１台ずつで構成される例を示しているが情報提供システム１０の構成はこれに限定されない。
【０００９】
図２は、本実施の形態における記録装置１００としてサーバ装置を用いた場合の一実施の形態の構成を示すブロック図である。記録装置１００は、操作部材１０１と、接続インターフェース１０２と、制御装置１０３と、記憶媒体１０４とを備えている。
【００１０】
操作部材１０１は、記録装置１００の操作者によって操作される種々の装置、例えばキーボードやマウスを含む。
【００１１】
接続インターフェース１０２は、記録装置１００をインターネット等の通信回線に接続するためのインターフェースであり、例えば、インターネットに有線で接続するための有線ＬＡＮモジュールや、インターネットに無線で接続するための無線ＬＡＮモジュールなどが用いられる。本実施の形態では、記録装置１００は、この接続インターフェース１０２を介して投稿者端末２００や公開者端末３００と通信する。
【００１２】
制御装置１０３は、ＣＰＵ、メモリ、およびその他の周辺回路によって構成され、記録装置１００の全体を制御する。なお、制御装置１０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続インターフェース１０２を介して読み込まれたデータは、バッファメモリに一時的に記録される。
【００１３】
記憶媒体１０４は、記録装置１００が蓄える種々のデータや、制御装置１０３が実行するためのプログラムのデータ等を記録するための記憶媒体であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記憶媒体１０４に記録されるプログラムのデータは、ＣＤ−ＲＯＭやＤＶＤ−ＲＯＭなどの記録媒体に記録されて提供されたり、ネットワークを介して提供され、操作者が取得したプログラムのデータを記憶媒体１０４にインストールすることによって、制御装置１０３がプログラムを実行できるようになる。
【００１４】
投稿者端末２００は、情報の投稿者が操作する情報端末である。投稿者端末２００としては、例えばスマートフォン、タブレット端末、パソコン等の端末が用いられる。
【００１５】
図３は、本実施の形態における投稿者端末２００としてスマートフォンを用いた場合の一実施の形態の構成を示すブロック図である。本実施の形態では、スマートフォンに記録装置１００と通信を行って、以下に説明する処理を実行するための投稿者端末用ソフトウェアがインストールされることにより、本実施の形態における投稿者端末２００として動作する。なお、投稿者端末用ソフトウェアのプログラムは、インターネットを介して接続されたサーバ上で公開されることにより提供され、ユーザがこれをダウンロードにより入手し、投稿者端末２００にあらかじめインストールされているものとする。あるいは、投稿者端末用ソフトウェアのプログラムは、ＣＤ−ＲＯＭやＤＶＤ−ＲＯＭ等の記録媒体に記録されて提供されるようにしてもよい。
【００１６】
投稿者端末２００は、タッチパネル２０１と、通信モジュール２０２と、制御装置２０３とを備えている。
【００１７】
タッチパネル２０１は、液晶パネル等の表示装置とタッチパッドのような位置入力装置を組み合わせた電子部品であり、画面上の表示を押すことで機器を操作することができる入力装置である。例えば、投稿者端末２００のユーザは、液晶パネル上に表示されたボタンやメニュー等の表示項目を指やタッチペンを用いてタッチまたはスライドさせることにより、投稿者端末２００を操作することができる。タッチパネル２０１は、閲覧者によるタッチやスライドといった操作を検出して、その検出信号を制御装置２０３へ出力する。
【００１８】
通信モジュール２０２は、無線または有線により、ＬＡＮや携帯電話通信網を介してインターネットに接続するためのモジュールが用いられる。投稿者端末２００は、この通信モジュール２０２を介して記録装置１００と通信を行う。
【００１９】
制御装置２０３は、ＣＰＵ、メモリ、およびその他の周辺回路によって構成され、投稿者端末２００の全体を制御する。なお、制御装置２０３を構成するメモリは、例えばＳＤＲＡＭ等の揮発性のメモリやフラッシュメモリ等の不揮発性のメモリを含む。揮発性のメモリは、ＣＰＵがプログラム実行時にプログラムを展開するためのワークメモリや、データを一時的に記録するためのバッファメモリとして使用される。また、不揮発性のメモリには、投稿者端末２００を動作させるためのファームウェアや種々のアプリケーションを動作させるためのソフトウェアのプログラムデータが記録される。本実施の形態では、この不揮発性のメモリに、上述した投稿者端末用ソフトウェアのプログラムが記録されている。
【００２０】
公開者端末３００は、後述するように、記録装置１００の記憶媒体１０４に記録されている投稿情報を公開する公開者が所持する端末である。公開者端末３００としては、例えばスマートフォン、タブレット端末、パソコン等の情報端末が用いられる。
【００２１】
図４は、本実施の形態における公開者端末３００としてパソコンを用いた場合の一実施の形態の構成を示すブロック図である。本実施の形態では、パソコンに記録装置１００と通信を行って、以下に説明する処理を実行するための公開者端末用ソフトウェアがインストールされることにより、本実施の形態における公開者端末３００として動作する。なお、公開者端末用ソフトウェアのプログラムは、インターネットを介して接続されたサーバ上で公開されることにより提供され、ユーザがこれをダウンロードにより入手し、公開者端末３００にあらかじめインストールされているものとする。あるいは、公開者端末用ソフトウェアのプログラムは、ＣＤ−ＲＯＭやＤＶＤ−ＲＯＭ等の記録媒体に記録されて提供されるようにしてもよい。
【００２２】
公開者端末３００は、操作部材３０１と、接続インターフェース３０２と、制御装置３０３と、記憶媒体３０４と、表示装置３０５とを備えている。
【００２３】
操作部材３０１は、公開者端末３００の操作者によって操作される種々の装置、例えばキーボードやマウスを含む。
【００２４】
接続インターフェース３０２は、公開者端末３００を他の装置や端末等の外部機器と接続するためのインターフェースである。例えば、公開者端末３００は、ＬＡＮやインターネット等の通信回線に接続するためのインターフェースや、外部の記憶媒体を接続するためのインターフェースが含まれる。公開者端末３００は、この接続インターフェース３０２を介して記録装置１００と通信を行う。
【００２５】
制御装置３０３は、ＣＰＵ、メモリ、およびその他の周辺回路によって構成され、公開者端末３００の全体を制御する。なお、制御装置３０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続インターフェース３０２を介して読み込まれたデータは、バッファメモリに一時的に記録される。
【００２６】
記憶媒体３０４は、公開者端末３００が蓄える種々のデータや、制御装置３０３が実行するためのプログラムのデータ等を記録するための記憶媒体であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記憶媒体３０４に記録されるプログラムのデータは、ＣＤ−ＲＯＭやＤＶＤ−ＲＯＭなどの記録媒体に記録されて提供されたり、ネットワークを介して提供され、公開者が取得したプログラムのデータを記憶媒体３０４にインストールすることによって、制御装置３０３がプログラムを実行できるようになる。本実施の形態では、この記憶媒体３０４に、上述した公開者端末用ソフトウェアのプログラムが記録されている。
【００２７】
表示装置３０５は、例えば液晶モニタであって、制御装置３０３から出力される種々の表示用データが表示される。
【００２８】
本実施の形態における情報提供システム１０では、投稿者が投稿者端末２００を操作して投稿した投稿情報を記録装置１００に記録する。記録装置１００は、公開者端末３００からの要求に基づいて、記録装置１００に記録されている投稿情報をウェブページ上に表示させるためのソースコードを発行する。これによって、公開者は、発行された表示用ソースコードをウェブページのソースコードに埋め込んで公開することにより、ウェブページにアクセスしたユーザに対して、投稿情報を公開することができる。以下、本実施の形態における処理の詳細について説明する。
【００２９】
本実施の形態では、投稿者は、投稿者端末２００を操作して、自身が購入した商品を被写体として撮影した画像や自身が受けたサービスに関する被写体を撮影した画像を選択し、選択した画像のコメント情報として、商品やサービスに関するレビューを書き込んで投稿することができる。このとき、投稿者は、コメント情報に、投稿内容に関するタグ情報を含めることができる。タグ情報としては、例えば、ＳＮＳ（ソーシャル・ネットワーキング・サービス）におけるハッシュタグを想定する。コメント情報にどのようなタグ情報を含めるかは、後述するように、あらかじめ公開者によって指定されており、投稿者は、指定されたタグ情報を入力する。
【００３０】
例えば、Ａ社が２０１７年の春にキャンペーンを展開するに当たり、自社の商品を撮影した画像とレビューには、「Ａ２０１７spring」をタグ情報として付すように指定している場合、投稿者は、画像とレビューを投稿する際に、コメント情報に「＃Ａ２０１７spring」というハッシュタグを入力する。
【００３１】
具体的には、投稿者端末２００の制御装置２０３は、投稿者によって投稿者端末用ソフトウェアの起動が指示されると、タッチパネル２０１に、投稿者から画像の選択とコメント情報の入力を受け付けるための画面を表示する。投稿者は、画面上で投稿対象とする画像を選択するとともに、画像に関連する商品やサービスに対するレビューとタグ情報とを含んだコメント情報を入力する。投稿者は、過去に撮影した画像を一覧表示させてその中から投稿対象とするものを選択してもよいし、カメラを起動して新規に撮影を行ってもよい。あるいは、投稿者が過去にＳＮＳに投稿した画像を選択し、ＳＮＳから画像を取得するようにしてもよい。投稿者端末２００の制御装置２０３は、投稿者によって画像が選択されると、選択された画像を投稿画像として特定する。また、投稿者は、選択した画像に対する感想などのレビュー情報と、上述したタグ情報をコメント入力欄に入力する。制御装置２０３は、投稿者によってレビュー情報とタグ情報が入力されると、入力された情報をコメント情報として特定する。
【００３２】
制御装置２０３は、投稿画像とコメント情報とを関連付けた投稿情報を記録装置１００へ送信する。記録装置１００では、制御装置１０３は、投稿者端末２００から受信した投稿情報を記憶媒体１０４に記録する。
【００３３】
公開者は、記録装置１００に記録されている投稿情報を取得して、自身が公開するウェブサイト上に、自身が販売する商品や自身が提供するサービスに関する投稿情報を配置した公開用情報を表示させるために、本実施の形態における情報提供システム１０を利用する。公開者は、公開者端末３００を操作して、公開用情報のタイトルを入力する。公開用情報のタイトルとしては、上述したように、投稿者に対して入力を要請したタグ情報と同じものが入力される。例えば、公開者がＡ社であり、２０１７年の春にキャンペーンを展開するために公開用情報と配置したウェブページの公開する場合には、公開用情報のタイトルとして、Ａ社が指定したタグ情報と同じ「Ａ２０１７spring」がタイトルとして入力される。
【００３４】
公開者端末３００の制御装置３０３は、公開者から公開用情報のタイトルの指定を受け付けると、指定されたタイトルを示すタイトル情報を記録装置１００へ送信する。記録装置１００では、制御装置１０３は、投稿者端末２００から受信したタイトル情報を記憶媒体１０４に記録する。
【００３５】
制御装置１０３は、記憶媒体１０４に投稿情報、またはタイトル情報を記録した場合には、記憶媒体１０４に記録されている投稿情報の中に、タグ情報が、記憶媒体１０４に記録されているタイトル情報と一致するものがあるか否かを判定する。その結果、記憶媒体１０４に記録されている投稿情報の中に、タグ情報が、記憶媒体１０４に記録されているタイトル情報と一致するものがある場合には、タグ情報とタイトル情報が一致する投稿情報とタイトル情報との関連付けを行う。本実施の形態では、投稿情報とタイトル情報には、それぞれ情報を一意に特定するための特定用情報、例えば投稿情報ＩＤとタイトル情報ＩＤが付与されており、制御装置１０３は、タグ情報とタイトル情報が一致する投稿情報の投稿情報ＩＤとタイトル情報のタイトル情報ＩＤとを関連付けた関連付け情報を記憶媒体１０４に記録することにより、投稿情報とタイトル情報の関連付けを行う。
【００３６】
公開者は、公開者端末３００を操作して、自身が指定したタイトルにマッチする投稿情報をウェブページに配置して表示するためのソースコードの出力を指示することができる。このとき、公開者は、ウェブページ上での投稿情報の配置方法を指定することもできる。例えば、公開者は、自身が指定したタイトルにマッチする投稿情報に含まれる投稿画像をウェブページ上に一覧表示して、ギャラリー形式で投稿画像を表示したい場合には、ギャラリー表示させる画像の縦、横の数を指定することができる。あるいは、公開者は、自身が指定したタイトルにマッチする投稿情報に含まれる投稿画像をウェブページ上にカルーセル表示したい場合には、カルーセル表示させる画像の数を指定することができる。制御装置３０３は、公開者からソースコードの出力が指示された場合には、記録装置１００へ、ソースコードの出力が指示されたタイトル情報と公開者によって指定された配置方法を示す情報とを含んだ出力要求情報を送信して、ソースコードの出力を要求する。
【００３７】
記録装置１００では、制御装置１０３は、公開者端末３００からソースコードの出力が要求された場合には、公開者端末３００から受信したタイトル情報をタグ情報に含んだ投稿情報を、公開者によって指定された配置方法で配置してウェブページに表示させるための表示用ソースコードを生成する。本実施の形態では、表示用ソースコードは、例えば、ＪａｖａＳｃｒｉｐｔ（登録商標）などのスクリプト言語を用いて、公開者によって指定されたタイトル情報のタイトル情報ＩＤを含み、記録装置１００から投稿情報を取得して、投稿画像を公開者によって指定された配置方法に従ってウェブページ上に表示させるためのコードである。
【００３８】
表示用ソースコードは、公開者が作成するウェブページのソースコードに表示用ソースコードを貼り付けることにより、ウェブページの閲覧者がウェブページにアクセスした際に、表示用ソースコード内に含まれるタイトル情報ＩＤに基づいて特定されるタイトル情報と、タグ情報が一致する投稿情報を記録装置１００から取得して、表示用ソースコード内で指定されている配置方法で投稿画像をウェブページ上に表示することができるように構成されている。なお、ここで生成される表示用ソースコードは、公知のスクリプト言語を用いて記述されるものであり、その内容は特に限定されるものではないため、詳細な説明は省略する。
【００３９】
制御装置１０３は、生成した表示用ソースコードを公開者端末３００へ出力する。公開者端末３００では、制御装置３０３は、記録装置１００から表示用ソースコードを受信すると、受信した表示用ソースコードを表示装置３０５に表示する。これによって、公開者は、表示用ソースコードを入手することができる。
【００４０】
公開者は、表示装置３０５に表示された表示用ソースコードをコピーして、投稿情報を表示させたいウェブページのソースコード内に、コピーした表示用ソースコードを貼り付けて、ウェブサーバーにアップロードする。これによって、ウェブページ上の所定位置に投稿情報を表示させることができる。
【００４１】
閲覧者がスマートフォン、タブレット端末、パソコンなどの情報端末を用いて、公開者によって公開されたウェブページにアクセスすると、ウェブページに埋め込まれた表示用ソースコードが読み込まれ、スクリプト言語による処理が行われる。例えば、閲覧者端末の制御装置は、記録装置１００へソースコード内で指定されているタイトル情報ＩＤを送信する。記録装置１００では、制御装置１０３は、上述した関連付け情報を参照して、閲覧者端末から受信したタイトル情報ＩＤに関連付けられている投稿情報ＩＤを特定し、特定した投稿情報ＩＤの投稿情報を記録媒体１０４から読み出し、閲覧者端末へ送信する。閲覧者端末の制御装置は、記録装置１００から受信した投稿情報をソースコード内で指定されている配置方法に従ってウェブページ上に表示する。これによって、ウェブページの閲覧者は、ウェブページに関連する投稿情報を閲覧することができる。
【００４２】
公開者は、事前にタイトルを決めておき、投稿者には、タイトルと同じ文字列をタグ情報に含めて自社の商品やサービスに関する画像とレビューを投稿するように依頼しておけば、ウェブページ上に、自社の商品やサービスに関する投稿情報のみを集めて表示させることができるため、ウェブページにアクセスした閲覧者に対する宣伝効果が期待できる。また、閲覧者にとっても、実際に購入した人物による投稿画像やレビュー内容を閲覧することができるので、他ユーザによる商品の使用例や感想を事前に確認することができるというメリットがある。
【００４３】
本実施の形態では、例えば、閲覧者端末では、同じ投稿情報に含まれる投稿画像とコメント情報とを重畳表示するようにしてもよい。すなわち、閲覧者端末の制御装置は、投稿情報から投稿画像を読み出して、ソースコードで指定されている配置方法に従ってウェブページ上に配置するとともに、投稿画像に重畳してコメント情報を表示する。これによって、閲覧者は、投稿画像とコメント情報の対応関係を把握しながら投稿情報を閲覧することができる。また、閲覧者端末の制御装置は、閲覧者によっていずれかの投稿画像が選択された場合には、投稿画像とコメント情報の重畳表示を解除して、それぞれを別領域に表示するようにしてもよい。これによって、閲覧者は、投稿画像とコメント情報をそれぞれ別領域に表示させて、閲覧することができる。
【００４４】
図５は、本実施の形態における記録装置１００で実行される処理の流れを示すフローチャートである。図５に示す処理は、プログラムの実行開始が指示されると制御装置１０３によって実行される。
【００４５】
ステップＳ１０において、制御装置１０３は、投稿者端末２００から上述した投稿情報を受信したか否かを判断する。ステップＳ１０で否定判断した場合には、後述するステップＳ３０へ進む。これに対して、ステップＳ１０で肯定判断した場合には、ステップＳ２０へ進む。
【００４６】
ステップＳ２０では、制御装置１０３は、投稿者端末２００から受信した投稿情報を記憶媒体１０４に記録する。その後、ステップＳ３０へ進む。
【００４７】
ステップＳ３０では、制御装置１０３は、公開者端末３００から上述したタイトル情報を受信したか否かを判断する。ステップＳ３０で否定判断した場合には、後述するステップＳ５０へ進む。これに対して、ステップＳ３０で肯定判断した場合には、ステップＳ４０へ進む。
【００４８】
ステップＳ４０では、制御装置１０３は、公開者端末３００から受信したタイトル情報を記憶媒体１０４に記録する。その後、ステップＳ５０へ進む。
【００４９】
ステップＳ５０では、制御装置１０３は、記憶媒体１０４に投稿情報またはタイトル情報を記録したことにより、投稿情報とタイトル情報の関連付けが必要になったか否かを判断する。ステップＳ５０で否定判断した場合には、後述するステップＳ７０へ進む。これに対して、ステップＳ５０で肯定判断した場合には、ステップＳ６０へ進む。
【００５０】
ステップＳ６０では、制御装置１０３は、記憶媒体１０４に記録されている投稿情報の中に、タグ情報が、記憶媒体１０４に記録されているタイトル情報と一致するものがあるか否かを判定し、一致するものがある場合には、それらを抽出して関連付けた関連付け情報を記憶媒体１０４に記録する。その後、ステップＳ７０へ進む。
【００５１】
ステップＳ７０では、制御装置１０３は、公開者端末３００からソースコードの生成が要求されたか否かを判断する。ステップＳ７０で否定判断した場合には、後述するステップＳ１００へ進む。これに対して、ステップＳ７０で肯定判断した場合には、ステップＳ８０へ進む。
【００５２】
ステップＳ８０では、制御装置１０３は、上述したように、公開者端末３００から受信したタイトル情報をタグ情報に含んだ投稿情報を、公開者によって指定された配置方法で配置してウェブページに表示させるための表示用ソースコードを生成する。その後、ステップＳ９０へ進む。
【００５３】
ステップＳ９０では、制御装置１０３は、生成した表示用ソースコードを公開者端末３００へ送信して出力する。その後、ステップＳ１００へ進む。
【００５４】
ステップＳ１００では、制御装置１０３は、閲覧者端末から上述したタイトル情報ＩＤを受信したか否かを判断する。ステップＳ１００で否定判断した場合には、後述するステップＳ１２０へ進む。これに対して、ステップＳ１００で肯定判断した場合には、ステップＳ１１０へ進む。
【００５５】
ステップＳ１１０では、制御装置１０３は、上述した関連付け情報を参照して、閲覧者端末から受信したタイトル情報ＩＤに関連付けられている投稿情報ＩＤを特定し、特定した投稿情報ＩＤの投稿情報を記録媒体１０４から抽出して、閲覧者端末へ送信する。その後、ステップＳ１２０へ進む。
【００５６】
ステップＳ１２０では、制御装置１０３は、プログラムの終了が指示されたか否かを判断する。ステップＳ１２０で否定判断した場合には、ステップＳ１０へ戻る。これに対して、ステップＳ１２０で肯定判断した場合には、処理を終了する。
【００５７】
図６は、本実施の形態における投稿者端末２００で実行される処理の流れを示すフローチャートである。図６に示す処理は、投稿者によって上述した投稿者端末用ソフトウェアの実行が指示されると起動するプログラムとして、制御装置２０３によって実行される。
【００５８】
ステップＳ２１０において、制御装置２０３は、投稿者によって投稿画像が選択されたか否かを判断する。ステップＳ２１０で肯定判断した場合には、ステップＳ２２０へ進む。
【００５９】
ステップＳ２２０では、制御装置２０３は、投稿者によって上述したレビュー情報とタグ情報とを含むコメント情報が入力されたか否かを判断する。ステップＳ２２０で肯定判断した場合には、ステップＳ２３０へ進む。
【００６０】
ステップＳ２３０では、制御装置２０３は、投稿画像とコメント情報とを関連付けた投稿情報を記録装置１００へ送信する。その後、ステップＳ２４０へ進む。
【００６１】
ステップＳ２４０では、制御装置２０３は、投稿者によって投稿者端末用ソフトウェアの終了が指示されたか否かを判断する。ステップＳ２４０で否定判断した場合には、ステップＳ２１０へ戻る。これに対して、ステップＳ２４０で肯定判断した場合には、処理を終了する。
【００６２】
図７は、本実施の形態における公開者端末３００で実行される処理の流れを示すフローチャートである。図７に示す処理は、上述した公開者端末用ソフトウェアの実行が指示されると起動するプログラムとして、制御装置３０３によって実行される。
【００６３】
ステップＳ３１０において、制御装置３０３は、公開者から公開用情報のタイトルの指定を受け付けたか否かを判断する。ステップＳ３１０で否定判断した場合には、後述するステップＳ３３０へ進む。これに対して、ステップＳ３１０で肯定判断した場合には、ステップＳ３２０へ進む。
【００６４】
ステップＳ３２０では、制御装置３０３は、公開者によって指定されたタイトルを示すタイトル情報を記録装置１００へ送信する。その後、ステップＳ３３０へ進む。
【００６５】
ステップＳ３３０では、制御装置３０３は、公開者からソースコードの出力が指示されたか否かを判断する。ステップＳ３３０で否定判断した場合には、後述するステップＳ３７０へ進む。これに対して、ステップＳ３３０で肯定判断した場合には、ステップＳ３４０へ進む。
【００６６】
ステップＳ３４０では、制御装置３０３は、記録装置１００へ上述した出力要求情報を送信して、ソースコードの生成を要求する。その後、ステップＳ３５０へ進む。
【００６７】
ステップＳ３５０では、制御装置３０３は、記録装置１００から上述した表示用ソースコードを受信したか否かを判断する。ステップＳ３５０で肯定判断した場合には、ステップＳ３６０へ進む。
【００６８】
ステップＳ３６０では、制御装置３０３は、記録装置１００から受信した表示用ソースコードを表示装置３０５に表示する。その後、ステップＳ３７０へ進む。
【００６９】
ステップＳ３７０では、制御装置３０３は、公開者によって公開者端末用ソフトウェアの終了が指示されたか否かを判断する。ステップＳ３７０で否定判断した場合には、ステップＳ３１０へ戻る。これに対して、ステップＳ３７０で肯定判断した場合には、処理を終了する。
【００７０】
以上説明した本実施の形態によれば、以下のような作用効果を得ることができる。
（１）投稿者端末２００では、制御装置２０３は、投稿者から投稿画像の選択と、投稿画像に対するコメント情報の入力を受け付け、投稿画像とコメント情報とを関連付けた投稿情報を記録装置１００へ送信するようにした。また、公開者端末３００では、制御装置３０３は、公開者から、公開用情報のタイトルの指定を受け付けて、タイトル情報を記録装置１００へ送信するようにした。記録装置１００では、制御装置１０３は、投稿者端末２００から受信した投稿情報と公開者端末３００から受信したタイトル情報を記憶媒体１０４に記録し、記憶媒体１０４に記録されている投稿情報の中に、タグ情報が記憶媒体に記録されているタイトル情報と一致するものがある場合に、投稿情報とタイトル情報とを関連付けるようにした。そして、制御装置１０３は、タイトル情報に関連付けられた投稿情報を、記憶媒体１０４から取得してウェブページに表示するための表示用ソースコードを生成し、公開者端末３００へ出力するようにした。これによって、タグ情報が、公開者が指定したタイトル情報と一致する投稿情報をウェブページ上に表示するための表示用ソースコードを出力することができる。また、公開者は、ウェブページのソースコードに、表示用ソースコードを埋め込むだけで、ウェブページ上に、自身が指定したタイトルに関連して投稿された投稿情報を表示させることができる。
【００７１】
（２）公開者端末３００では、制御装置３０３は、記録装置１００から出力された表示用ソースコードを受信して、表示装置３０５へ表示するようにした。これによって、公開者は、表示された表示用ソースコードをコピーして、ウェブページのソースコード内に貼り付けるだけで、ウェブページ上に投稿情報を表示させることができる。
【００７２】
（３）記録装置１００の制御装置１０３は、公開者端末３００からウェブページ上での投稿情報の配置方法の指定を受け付け、指定された配置方法にしたがって投稿情報を配置するためのソースコードを生成するようにした。これによって、公開者は、投稿情報を一覧表示したギャラリー形式のウェブページを作成したり、ウェブページ上に投稿情報をカルーセル表示させたりするなど、投稿情報を好みの方法でウェブページ上に表示させることができる。
【００７３】
（４）閲覧者端末では、制御装置は、閲覧者からの指示に基づいて、ソースコードが埋め込まれたウェブページを読み込む読み、ソースコードに基づいて、記録装置１００から投稿情報を取得して、取得した投稿情報をウェブページ内の所定位置に配置して表示するようにした。これによって、ウェブページの閲覧者は、ウェブページに関連する投稿情報を閲覧することができる。
【００７４】
（５）閲覧者端末の制御装置は、投稿情報から投稿画像を読み出して、ソースコードで指定されている配置方法に従ってウェブページ上に配置するとともに、投稿画像に重畳してコメント情報を表示することによって、同じ投稿情報に含まれる投稿画像とコメント情報とを重畳表示するようにした。これによって、閲覧者は、投稿画像とコメント情報の対応関係を把握しながら投稿情報を閲覧することができる。
【００７５】
（６）閲覧者端末の制御装置は、閲覧者によっていずれかの投稿画像が選択された場合には、投稿画像とコメント情報の重畳表示を解除して、それぞれを別領域に表示するようにした。これによって、閲覧者は、投稿画像とコメント情報をそれぞれ別領域に表示させて、閲覧することができる。
【００７６】
―変形例―
なお、上述した実施の形態の情報提供システム１０は、以下のように変形することもできる。
（１）上述した実施の形態では、投稿者端末２００の制御装置２０３は、投稿者から投稿画像の選択と投稿画像に対するコメント情報の入力を受け付け、投稿画像とコメント情報とを関連付けた投稿情報を記録装置１００へ送信する例について説明した。しかしながら、制御装置２０３は、投稿画像とコメント情報に加えて、投稿者を特定するための情報、例えば、投稿者ＩＤや投稿者名や投稿者のニックネームなどの情報も投稿情報に含めてもよい。これによって、投稿者が誰であるかを特定することができるため、匿名での投稿と比較して、投稿情報の信頼性を向上させることができる。
【００７７】
（２）上述した実施の形態では、投稿者端末２００の制御装置２０３は、投稿者から投稿画像の選択と投稿画像に対するコメント情報の入力を受け付け、投稿画像とコメント情報とを関連付けた投稿情報を記録装置１００へ送信する例について説明した。制御装置２０３は、記録装置１００へ送信して、情報提供システム１０内で情報を投稿するだけでなく、あらかじめ設定されているＳＮＳにも同時に投稿情報を投稿するようにしてもよい。これによって、情報提供システム１０を利用する投稿者は、記録装置１００に向けた投稿と同時に、ＳＮＳにも情報をアップすることができる。なお、ＳＮＳへの投稿には、ＳＮＳ側が用意しているＡＰＩ等を利用すればよい。
【００７８】
（３）上述した実施の形態では、閲覧者端末の制御装置は、閲覧者によっていずれかの投稿画像が選択された場合には、投稿画像とコメント情報の重畳表示を解除して、それぞれを別領域に表示するようにした。これに加えて、投稿情報には、あらかじめ画像に写っている商品やサービスに関連するウェブページのＵＲＬを関連付けて記録できるようにし、閲覧者がいずれかの投稿情報を選択した場合には、投稿情報にあらかじめ関連付けられているＵＲＬにアクセスして、画面上に、投稿情報に関連するウェブページを表示させるようにしてもよい。例えば、投稿情報に、商品の紹介ページや販売ページ、あるいは画像に写っているサービスの紹介ページや予約ページなどのＵＲＬを関連付けておけば、閲覧者は、投稿情報を選択するだけで、関連付けられているウェブページを閲覧することができる。また、公開者は、投稿情報を表示させたウェブページを入り口として、各投稿情報に関連するウェブページへ、閲覧者を誘導することができる。なお、投稿情報とＵＲＬの関連付けは、データベース上で関連付けておき、投稿情報が選択された場合にデータベースを参照して関連付けられているＵＲＬを特定してもよい。あるいは、投稿情報にＵＲＬのリンク情報を設定しておき、投稿情報が選択された場合にリンク先のＵＲＬにアクセスするようにしてもよい。また、投稿情報には、ＵＲＬに代えて、ＵＲＬを設定した商品画像やサービス画像を関連付けるようにしてもよい。
【００７９】
（４）上述した実施の形態では、上述した実施の形態では、閲覧者端末の制御装置は、閲覧者によっていずれかの投稿画像が選択された場合には、投稿画像とコメント情報の重畳表示を解除して、それぞれを別領域に表示するようにした。しかしながら、閲覧者端末の制御装置は、閲覧者によっていずれかの投稿画像が選択された場合には、あらかじめ投稿画像に関連付けられている他の画像を表示させるようにしてもよい。このために、あらかじめ記録装置１００の記憶媒体１０４には、投稿画像ごとに、投稿画像に関連する関連画像が関連づけて記録されている。例えば、公開者は、事前に、各投稿画像に対して、投稿画像に写っている商品やサービスに関連する被写体を撮影した関連画像を用意しておき、これを記録装置１００の記憶媒体１０４に記録しておく。そして、公開者は、公開者端末３００を操作して、投稿画像と関連付け画像の紐付作業を行う。記録装置１００の制御装置１０３は、公開者による操作に基づいて、投稿画像と関連画像とを関連付けた関連画像情報を記録装置１００の記憶媒体１０４に記録しておく。閲覧者端末の制御装置は、閲覧者によっていずれかの投稿画像が選択された場合には、記録装置１００にアクセスし、関連画像情報に基づいて選択された投稿画像に関連付けられている関連画像を特定し、特定した関連画像のデータを記録装置１００から取得して、タッチパネル２０１に表示する。これによって、閲覧者は、投稿画像を選択することにより、それに関連する関連画像を閲覧することができる。
【００８０】
また、この場合、それぞれの関連画像に、関連画像に写っている商品やサービスに関連するウェブページのＵＲＬを関連付けて記録できるようにし、閲覧者がいずれかの関連画像を選択した場合には、関連画像にあらかじめ関連付けられているＵＲＬにアクセスして、画面上に、リンク先のウェブページを表示させるようにしてもよい。例えば、関連画像に、商品の紹介ページや販売ページ、あるいは画像に写っているサービスの紹介ページや予約ページなどのＵＲＬを関連付けておけば、投稿者は、関連画像を選択するだけで、関連付けられているウェブページを閲覧することができる。また、公開者は、関連画像を表示させたウェブページを入り口として、各関連画像に関連するウェブページへ、閲覧者を誘導することができる。なお、関連画像とＵＲＬの関連付けは、データベース上で関連付けておき、関連画像が選択された場合にデータベースを参照して関連付けられているＵＲＬを特定してもよい。あるいは、関連画像にＵＲＬのリンク情報を設定しておき、関連画像が選択された場合にリンク先のＵＲＬにアクセスするようにしてもよい。また、関連画像には、ＵＲＬに代えて、ＵＲＬを設定した商品画像やサービス画像を関連付けるようにしてもよい。
【００８１】
（５）上述した実施の形態では、記録装置１００の制御装置１０３は、記憶媒体１０４に投稿情報またはタイトル情報を記録したときに、投稿情報とタイトル情報の関連付けが必要になったと判定し、タグ情報とタイトル情報が一致する投稿情報の投稿情報ＩＤとタイトル情報のタイトル情報ＩＤとを関連付けた関連付け情報を記憶媒体１０４に記録することにより、投稿情報とタイトル情報の関連付けを行う例について説明した。しかしながら、投稿情報とタイトル情報の関連付けを行うタイミングは、記憶媒体１０４に投稿情報またはタイトル情報を記録したときには限定されない。例えば、制御装置１０３は、あらかじめ設定された所定時間間隔で定期的にタグ情報とタイトル情報が一致するものがないかをチェックして、関連付け処理を行うようにしてもよい。また、関連付け処理の開始を記録装置１００の操作者が指示できるようにしてもよい。
【００８２】
（６）上述した実施の形態および上記の変形例では、投稿者によって投稿された投稿画像を対象として、処理を実行する例について説明した。しかしながら、投稿者によって投稿された投稿画像を対象として、上述した実施の形態と同様の処理を実行するようにしてもよい。すなわち、投稿者端末２００では、制御装置２０３は、投稿者から投稿動画の選択と、投稿動画に対するコメント情報の入力を受け付け、投稿動画とコメント情報とを関連付けた投稿情報を記録装置１００へ送信する。また、公開者端末３００では、制御装置３０３は、公開者から、公開用情報のタイトルの指定を受け付けて、タイトル情報を記録装置１００へ送信する。そして、記録装置１００では、制御装置１０３は、投稿者端末２００から受信した投稿情報と公開者端末３００から受信したタイトル情報を記憶媒体１０４に記録し、記憶媒体１０４に記録されている投稿情報の中に、タグ情報が記憶媒体に記録されているタイトル情報と一致するものがある場合に、投稿情報とタイトル情報とを関連付け、制御装置１０３は、タイトル情報に関連付けられた投稿情報を、記憶媒体１０４から取得してウェブページに表示するための表示用ソースコードを生成し、公開者端末３００へ出力するようにしてもよい。
【００８３】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００８４】
１０  情報提供システム
１００  記録装置
１０１  操作部材
１０２  接続インターフェース
１０３  制御装置
１０４  記憶媒体
２００  投稿者端末
２０１  タッチパネル
２０２  通信モジュール
２０３  制御装置
３００  公開者端末
３０１  操作部材
３０２  接続インターフェース
３０３  制御装置
３０４  記憶媒体
３０５  表示装置
【図１】
2018160100.tif 000003
【図２】
2018160100.tif 000004
【図３】
2018160100.tif 000005
【図４】
2018160100.tif 000006
【図５】
2018160100.tif 000007
【図６】
2018160100.tif 000008
【図７】
2018160100.tif 000009
【手続補正書】
【提出日】平成29年10月2日(2017.10.2)
【手続補正１】
【補正対象書類名】特許請求の範囲
【補正対象項目名】全文
【補正方法】変更
【補正の内容】
【特許請求の範囲】
【請求項１】
情報を投稿する投稿者から投稿する画像または動画の選択を受け付ける選択受付手段と、
前記投稿者から、前記選択受付手段によって選択を受け付けた投稿画像または投稿動画に対するコメントと投稿内容に関するタグ情報とを含んだコメント情報の入力を受け付けるコメント情報入力受付手段と、
前記選択受付手段によって投稿を受け付けた投稿画像または投稿動画と、前記コメント情報入力受付手段によって入力を受け付けた前記コメント情報とを関連付けた投稿情報を記憶媒体に記録する投稿情報記録手段と、
前記投稿者によって投稿された画像または動画を配置した公開用情報を公開する公開者から、前記公開用情報のタイトルの指定を受け付けるタイトル指定受付手段と、
前記タイトル指定受付手段で指定を受け付けた前記タイトル情報を前記記憶媒体に記録するタイトル情報記録手段と、
前記記憶媒体に記録されている前記投稿情報の中に、前記タグ情報が前記記憶媒体に記録されている前記タイトル情報と一致するものがある場合に、前記投稿情報と前記タイトル情報とを関連付ける関連付け手段と、
前記関連付け手段によって前記タイトル情報に関連付けられた前記投稿情報を、前記記憶媒体から取得してウェブページに表示するためのソースコードを生成するソースコード生成手段と、
前記ソースコード生成手段によって生成された前記ソースコードを出力するソースコード出力手段とを備え、
前記タイトル指定受付手段で指定を受け付ける前記公開用情報のタイトルは、前記公開者が前記投稿者に対して入力を要請したタグ情報と同じものであることを特徴とする情報提供システム。
【請求項２】
請求項１に記載の情報提供システムにおいて、
前記投稿情報記録手段は、前記投稿情報に、前記投稿者を特定するための投稿者情報も含めることを特徴とする情報提供システム。
【請求項３】
請求項１または２に記載の情報提供システムにおいて、
前記公開者からウェブページ上での前記投稿情報の配置方法の指定を受け付ける配置方法指定受付手段をさらに備え、
前記ソースコード生成手段は、前記配置方法指定受付手段によって指定を受け付けた配置方法にしたがって前記投稿情報を配置するためのソースコードを生成することを特徴とする情報提供システム。
【請求項４】
情報の投稿者が操作する投稿者端末と、前記投稿者端末によって投稿された投稿情報を記録する記録装置と、前記記録装置に記録された投稿情報を公開する公開者によって操作される公開者端末とが通信回線を介して接続された情報提供システムであって、
前記投稿者端末は、
前記投稿者から投稿する画像または動画の選択を受け付ける選択受付手段と、
前記投稿者から、前記選択受付手段によって選択を受け付けた投稿画像または投稿動画に対するコメントと投稿内容に関するタグ情報とを含んだコメント情報の入力を受け付けるコメント情報入力受付手段と、
前記選択受付手段によって投稿を受け付けた投稿画像または投稿動画と、前記コメント情報入力受付手段によって入力を受け付けた前記コメント情報とを関連付けた投稿情報を前記記録装置へ送信する投稿情報送信手段とを備え、
前記公開者端末は、
前記公開者から、前記公開用情報のタイトルの指定を受け付けるタイトル指定受付手段と、
前記タイトル指定受付手段で指定を受け付けた前記タイトル情報を前記記録装置へ送信するタイトル情報送信手段とを備え、
前記記録装置は、
前記投稿者端末から受信した前記投稿情報を記憶媒体に記録する投稿情報記録手段と、
前記公開者端末から受信した前記タイトル情報を前記記憶媒体に記録するタイトル情報記録手段と、
前記記憶媒体に記録されている前記投稿情報の中に、前記タグ情報が前記記憶媒体に記録されている前記タイトル情報と一致するものがある場合に、前記投稿情報と前記タイトル情報とを関連付ける関連付け手段と、
前記関連付け手段によって前記タイトル情報に関連付けられた前記投稿情報を、前記記憶媒体から取得してウェブページに表示するためのソースコードを生成するソースコード生成手段と、
前記ソースコード生成手段によって生成された前記ソースコードを前記公開者端末へ出力するソースコード出力手段とを備え、
前記タイトル指定受付手段で指定を受け付ける前記公開用情報のタイトルは、前記公開者が前記投稿者に対して入力を要請したタグ情報と同じものであることを特徴とする情報提供システム。
【請求項５】
請求項４に記載の情報提供システムにおいて、
前記投稿情報記録手段は、前記投稿情報に、前記投稿者を特定するための投稿者情報も含めることを特徴とする情報提供システム。
【請求項６】
請求項４または５に記載の情報提供システムにおいて、
前記公開者端末は、
前記記録装置から出力された前記ソースコードを受信するソースコード受信手段と、
前記ソースコード受信手段によって受信された前記ソースコードを表示装置へ表示するソースコード表示手段とをさらに備えることを特徴とする情報提供システム。
【請求項７】
請求項４〜６のいずれか一項に記載の情報提供システムにおいて、
前記記録装置は、
前記公開者端末からウェブページ上での前記投稿情報の配置方法の指定を受け付ける配置方法指定受付手段をさらに備え、
前記ソースコード生成手段は、前記配置方法指定受付手段によって指定を受け付けた配置方法にしたがって前記投稿情報を配置するためのソースコードを生成することを特徴とする情報提供システム。
【請求項８】
請求項４〜７のいずれか一項に記載の情報提供システムにおいて、
前記ソースコードが埋め込まれたウェブページを閲覧する閲覧者によって操作される閲覧者端末をさらに備え、
前記閲覧者端末は、
前記閲覧者からの指示に基づいて、前記ソースコードが埋め込まれたウェブページを読み込む読み込み手段と、
前記ソースコードに基づいて、前記記録装置から前記投稿情報を取得して、取得した投稿情報をウェブページ内の所定位置に配置して表示するウェブページ表示手段とを備えることを特徴とする情報提供システム。
【請求項９】
請求項８に記載の情報提供システムにおいて、
前記ウェブページ表示手段は、前記投稿情報に含まれる前記投稿画像または投稿動画に重畳して前記コメント情報を表示することを特徴とする情報提供システム。
【請求項１０】
請求項９に記載の情報提供システムにおいて、
前記ウェブページ表示手段は、前記ウェブページ上で前記投稿画像または投稿動画が選択されたときに、前記投稿画像または投稿動画と前記コメント情報の重畳表示を解除して、それぞれを別領域に表示することを特徴とする情報提供システム。
【請求項１１】
請求項９に記載の情報提供システムにおいて、
前記ウェブページ表示手段は、前記ウェブページ上で前記投稿画像または投稿動画が選択されたときに、前記投稿画像または投稿動画に関連付けられている関連画像を表示することを特徴とする情報提供システム。
【請求項１２】
請求項１１に記載の情報提供システムにおいて、
前記ウェブページ表示手段は、前記ウェブページ上で前記関連画像が選択されたときに、前記関連画像に関連付けられているＵＲＬに基づいて、前記関連画像に関連するウェブページを表示することを特徴とする情報提供システム。
【手続補正２】
【補正対象書類名】明細書
【補正対象項目名】０００５
【補正方法】変更
【補正の内容】
【０００５】
本発明による情報提供システムは、情報を投稿する投稿者から投稿する画像または動画の選択を受け付ける選択受付手段と、投稿者から、選択受付手段によって選択を受け付けた投稿画像または投稿動画に対するコメントと投稿内容に関するタグ情報とを含んだコメント情報の入力を受け付けるコメント情報入力受付手段と、選択受付手段によって投稿を受け付けた投稿画像または投稿動画と、コメント情報入力受付手段によって入力を受け付けたコメント情報とを関連付けた投稿情報を記憶媒体に記録する投稿情報記録手段と、投稿者によって投稿された画像または動画を配置した公開用情報を公開する公開者から、公開用情報のタイトルの指定を受け付けるタイトル指定受付手段と、タイトル指定受付手段で指定を受け付けたタイトル情報を記憶媒体に記録するタイトル情報記録手段と、記憶媒体に記録されている投稿情報の中に、タグ情報が記憶媒体に記録されているタイトル情報と一致するものがある場合に、投稿情報とタイトル情報とを関連付ける関連付け手段と、関連付け手段によってタイトル情報に関連付けられた投稿情報を、記憶媒体から取得してウェブページに表示するためのソースコードを生成するソースコード生成手段と、ソースコード生成手段によって生成されたソースコードを出力するソースコード出力手段とを備え、タイトル指定受付手段で指定を受け付ける公開用情報のタイトルは、公開者が投稿者に対して入力を要請したタグ情報と同じものであることを特徴とする。
本発明による情報提供システムはまた、情報の投稿者が操作する投稿者端末と、投稿者端末によって投稿された投稿情報を記録する記録装置と、記録装置に記録された投稿情報を公開する公開者によって操作される公開者端末とが通信回線を介して接続され、投稿者端末は、投稿者から投稿する画像または動画の選択を受け付ける選択受付手段と、投稿者から、選択受付手段によって選択を受け付けた投稿画像または投稿動画に対するコメントと投稿内容に関するタグ情報とを含んだコメント情報の入力を受け付けるコメント情報入力受付手段と、選択受付手段によって投稿を受け付けた投稿画像または投稿動画と、コメント情報入力受付手段によって入力を受け付けたコメント情報とを関連付けた投稿情報を記録装置へ送信する投稿情報送信手段とを備え、公開者端末は、公開者から、公開用情報のタイトルの指定を受け付けるタイトル指定受付手段と、タイトル指定受付手段で指定を受け付けたタイトル情報を記録装置へ送信するタイトル情報送信手段とを備え、記録装置は、投稿者端末から受信した投稿情報を記憶媒体に記録する投稿情報記録手段と、公開者端末から受信したタイトル情報を記憶媒体に記録するタイトル情報記録手段と、記憶媒体に記録されている投稿情報の中に、タグ情報が記憶媒体に記録されている前記タイトル情報と一致するものがある場合に、投稿情報とタイトル情報とを関連付ける関連付け手段と、関連付け手段によってタイトル情報に関連付けられた投稿情報を、記憶媒体から取得してウェブページに表示するためのソースコードを生成するソースコード生成手段と、ソースコード生成手段によって生成されたソースコードを公開者端末へ出力するソースコード出力手段とを備え、タイトル指定受付手段で指定を受け付ける公開用情報のタイトルは、公開者が投稿者に対して入力を要請したタグ情報と同じものであることを特徴とする。